(57)【特許請求の範囲】
【請求項１】
主要マットレス、及び前記主要マットレスに取り付けられる補助マットレス（１）を備えるマットレスアセンブリであって、前記補助マットレス（１）は、２つの横方向延伸部（２）及び踏み台延伸部（３）を有する補助マットレス本体を備え、前記横方向延伸部（２）及び踏み台延伸部（３）は、前記補助マットレス（１）の周囲に沿って設けられた管状構造体（５）と協働して、前記補助マットレス本体に対して９０度回転する場合に、前記補助マットレス本体に対して完全に水平な延伸表面を形成し、又は前記補助マットレス本体に対して１８０度回転する場合に、前記補助マットレス本体に対して垂直な延伸表面を形成する、マットレスアセンブリ。
【請求項２】
前記補助マットレス（１）はさらに、前記管状構造体（５）と一緒に、前記補助マットレス本体に対して最大で９０度までの種々の仰角において回転することができるヘッドボード延伸部（１７）を備える、請求項１に記載のマットレスアセンブリ。
【請求項３】
前記管状構造体（５）は、前記ヘッドボード延伸部（１７）と前記横方向延伸部（２）との間の接続角部において、２つのヒンジ（１８）を有する、請求項２に記載のマットレスアセンブリ。
【請求項４】
前記管状構造体（５）は、前記横方向延伸部（２）の組立てのための２つの長いセクション（６）と、３つの中央セクション（７）であって、１つは前記ヘッドボード延伸部（１７）の組立て用で、２つは前記踏み台延伸部（３）の組立て用で、前記踏み台延伸部（３）を前記補助マットレス本体に接続することを企図する、３つの中央セクション（７）と、前記横方向延伸部（２）及び前記踏み台延伸部（３）の接続によって前記補助マットレス本体とともに形成される角部を組立てることを企図する８つの短いセクション（８）と、を備え、全ての前記セクションは、前記補助マットレス本体と、前記横方向延伸部（２）及び前記踏み台延伸部（３）との間の接続角部において位置決めされる４つのヒンジであって、前記補助マットレス本体に対して９０度及び１８０度回転可能な４つのヒンジ、及び８つのベンド（９）によって互いに取り付けられる、請求項２又は３に記載のマットレスアセンブリ。
【請求項５】
前記補助マットレス（１）は、前記補助マットレス（１）を前記主要マットレスに結合させるために、前記補助マットレス（１）の裏の両方の側部において位置決めされる、クランプ又はガース（１１）を含む、請求項１から４のいずれか一項に記載のマットレスアセンブリ。
【請求項６】
各々の横方向延伸部（２）は、少なくとも２つの管セクションによって、前記主要マットレスの幅寸法と等しい互いからの分離距離を保ちつつ互いに面する、硬い布張りしたベッドベース（２ａ）を備え、前記少なくとも２つの管セクションは、繊維で裏打ちされ、Ｌ形状の調整管を結合することを企図し、各々の側部に位置決めされ、かつ対向する位置にあり、前記硬い布張りしたベッドベース（２ａ）の端部に位置する当該管セクションの自由端にヒンジが設けられている、請求項１から５のいずれか一項に記載のマットレスアセンブリ。
【請求項７】
前記踏み台延伸部（３）は、前記横方向延伸部（２）の前記硬い布張りしたベッドベース（２ａ）よりも短い、硬い布張りしたベッドベース（３ａ）を備え、その内側表面に少なくとも２つのヒンジ（１２）を有し、各々の端部において１つずつ配置され、その対応するＬ形状の調整管に結合され、その１つの自由端には、前記横方向延伸部（２）の構造上の管と結合するためのクランプ（１３）が設けられている、請求項６に記載のマットレスアセンブリ。
【請求項８】
前記横方向延伸部（２）の２つの前記硬い布張りしたベッドベース（２ａ）、及び前記踏み台延伸部（３）の前記硬い布張りしたベッドベース（３ａ）について、それらの上端には全長に亘りパッディング補強材（１４）が設けられている、請求項７に記載のマットレスアセンブリ。
【請求項９】
前記横方向延伸部（２）の前記硬い布張りしたベッドベース（２ａ）、及び前記踏み台延伸部（３）の前記硬い布張りしたベッドベース（３ａ）は、いずれもねじが切られた挿入部材（１５）を介して高さを調節することができる、請求項７又は８に記載のマットレスアセンブリ。
【請求項１０】
前記横方向延伸部（２）の前記ベッドベース（２ａ）の裏の端部には少なくとも２つのヒンジが設けられ、各々の端部に１つずつヒンジが配置され、前記横方向延伸部（２）の中央部分には、結合のためにヒンジ結合部（１６）が設けられている、請求項６に記載のマットレスアセンブリ。
【請求項１１】
前記結合しているヒンジ結合部（１６）は、手動又は遠隔制御される電子モーターによって、上げる及び／又は下げるために作動されるように適合される、請求項１０に記載のマットレスアセンブリ。
【請求項１２】
シーツ本体（２２）と周囲に沿って弾性要素（２１）とが備えられたボックスシーツ（２０）をさらに備え、前記シーツ本体（２２）には、横方向延伸部（２３）が設けられ、前記ボックスシーツ（２０）の端部は、９０度の角度を形成する切欠き部（２４）によって構成され、前記シーツ本体（２２）と前記横方向延伸部（２３）との間の接続部には、いくつかの繊維セクション（２５）が設けられ、それらの自由端には留め手段（２６）が設けられている、請求項１から１１のいずれか一項に記載のマットレスアセンブリ。
【請求項１３】
前記マットレスアセンブリの前記横方向延伸部（２）は、前記補助マットレス本体に対して最大９０度まで、種々の固定された位置における仰角に亘って可動な、ヒンジされたベースに適合可能な個別の領域（２ｂ）を備える、請求項１に記載のマットレスアセンブリ。
【請求項１４】
前記横方向延伸部（２）は、前記補助マットレス（１）の前記個別の領域（２ｂ）と一致する、いくつかの個別のヒンジされた領域（５ｃ）を備え、前記いくつかの個別のヒンジされた領域（５ｃ）は、対応するヒンジを介して互いに分離され、前記対応するヒンジは、前記補助マットレスの厚さと等しい線形な傾きに隣接するヒンジに対して取り付けられるように位置決めされる、請求項１３に記載のマットレスアセンブリ。
【請求項１５】
前記横方向延伸部（２；２ｂ）、前記踏み台延伸部（３、３ａ）、前記ヘッドボード延伸部（１７）、及び前記管状構造体（５）のうちの少なくとも１つを駆動するための、自動駆動システムをさらに備える、請求項２から１４のいずれか一項に記載のマットレスアセンブリ。
【請求項１６】
前記管状構造体（５）は、硬い管セクションから作られる、請求項１から１５のいずれか一項に記載のマットレスアセンブリ。
【請求項１７】
前記横方向延伸部（２、２ａ）及び前記踏み台延伸部（３、３ａ）のうちの少なくとも１つは、剛性である、請求項１から１６のいずれか一項に記載のマットレスアセンブリ。
【請求項１８】
ヘッドボード延伸部（１７）は、種々の固定された位置における仰角に亘って可動な、個別のヒンジされた領域を備える、請求項２から１７のいずれか一項に記載のマットレスアセンブリ。
【請求項１９】
前記管状構造体（５）は、前記補助マットレス（１）の前記周囲に沿って固定されるように設けられている、請求項１から１８のいずれか一項に記載のマットレスアセンブリ。
【請求項２０】
前記管状構造体（５）には、高速開閉手段（４）が設けられている、請求項１から１９のいずれか一項に記載のマットレスアセンブリ。
【発明の詳細な説明】
【技術分野】
【０００１】
本開示は、マットレスの表面が拡大されることを可能にする、マットレスアセンブリに関する。
【背景技術】
【０００２】
主要マットレスに取り付けられた補助マットレスを備えるマットレスアセンブリは既知である。補助マットレスは、工場か又は任意の他の工業的なプロセスのいずれかにおいて、縫い付けられることによって主要マットレス上に提供される。このことは、このタイプのマットレスがダブルベッドのみを提供するという欠点を有する。
【０００３】
加えて、既知のマットレスは、現在、サイズに関する標準的なパターンから作られ、ベッドのフレーム、ソファー、又は布張りしたベッドベースは、標準的なサイズのマットレスと一致する同じやり方で製造されている。このことは、より大きなマットレスの表面が必要とされる場合に、対応するベッドのフレーム、ソファー、又は布張りしたベッドベースを交換することに加えて、当該マットレスを交換する必要があるという欠点を有する。スペースの不足は、マットレスがより大きなものと交換されることを妨げ得るので、そのような交換は、多くの場合において不可能であり得る。
【０００４】
さらなる欠点は、殊に、幼児、お年寄り、身体障害者、及び依存的な人に関する場合に、ユーザが地上へ落ちることを妨げるための標準的な安全手段を、マットレスが有していないということである。
【０００５】
シーツを従来のマットレス上で調整するための調整手段を有するシーツがまた知られている。既知のシーツは、マットレスのサイズ又は特異性が上述したように通常のものでない場合に、既知のシーツがいくつかのマットレス構成に対して適合され得ないという欠点を有している。
【０００６】
それ故、マットレスの表面が拡大されることを可能にし、かつそれに加えて、ユーザに地上へ落ちることを妨げるための手段を提供することができる、マットレスアセンブリを提供する必要性が存在する。
【発明の概要】
【０００７】
マットレスの表面が拡大されることを可能にし、かつユーザに地上へ落ちることを妨げるための手段を提供することができる、マットレスアセンブリが本明細書の中において開示される。本マットレスアセンブリはさらに、以下で明らかにされるように、多くの利点を提供する。
【０００８】
本マットレスアセンブリは、２つの横方向拡張部及び踏み台拡張部を含む本体を備える補助マットレスが提供される。いくつかの実施形態において、補助マットレスはさらに、ヘッドボード拡張部を備える。
【０００９】
拡張部は、それらが、本体に対して完全な水平な面において、又は本体に対して垂直な面において、それぞれ表面拡張部を形成することができるように、９０度又は１８０度回転することができる。
【００１０】
本マットレスアセンブリはさらに、拡張部の周囲において提供される管状構造体を備える。管状構造体は、工場において固定されるか若しくは組立てられ得、又はそれらは、高速開閉手段によって、ユーザにより組立てられ得る。この管状構造体は、組立て及び分解が容易になるように構成され、かつそれは、輸送、移送などの場合において有利である。
【００１１】
上述した高速開閉手段は、繊維セクションから成る。この繊維セクションは、管状構造体の対応する管セクションに容易に巻き付けられ得、その位置を固定し、かつ補助マットレスの周囲のその組立てを確実にする。
【００１２】
上述したように、補助マットレスの管状構造体は、複数の管セクションを備える。具体的には、管状構造体は、横方向拡張部の組立てのために、２つの長いセクションを備え；３つの中間セクションであって、１つはヘッドボード拡張部の組立て用で、２つは踏み台拡張部の組立て用で、踏み台拡張部を本体に接続することを企図した３つの中間セクションと、；横方向拡張部及び踏み台拡張部の接続によって本体とともに形成される角部を組立てるための、８つの短いセクションと、を備える。全てのセクションは、本体と横方向拡張部及び踏み台拡張部との間の接続角部において位置決めされる、４つの折り畳み式のヒンジと８つのベンドとによって互いに取り付けられる。それ故、ヒンジは、表面が完全に本体と面一になるように、マットレスを大型化するために９０度回転することができ、一方それらはまた、本体と垂直になるように１８０度回転することもできる。この場合において、子供、身体障害者、及び依存的な人が地上に落ちることを妨げる防御壁が、それ故、形成される。
【００１３】
管状構造体は、本マットレスアセンブリに、補助マットレスの周囲に沿ったフレームを提供する。管状構造体は、補助マットレスのサイズに適合するように、スライド動作で調整可能な管セクションを備える。このことは、横方向拡張部及び踏み台拡張部が、補助マットレスのサイズに適合されることを可能にする。管状構造体はまた、補助マットレスに取り付けられるために繊維で裏打ちされたその周囲に沿って提供され得る。
【００１４】
補助マットレスの本体は、主要マットレスに取り付けられるために、クランプ又はガースが提供される。クランプ又はガースは、本体の裏部分の両側部において位置決めされる。しかしながら、本体は、代替的に又は付加的に、主要マットレスに縫い付けられ得、単一体を形成し得る。
【００１５】
本マットレスアセンブリの１つの実施形態において、横方向拡張部は、いくつかの個別の領域へ分割され得る。個別の領域は、補助マットレスに対して最大で９０度までの、種々の固定された位置における仰角を通して可動な、ヒンジされたベースに対して適合可能である。横方向拡張部の個別の領域は、周囲において、踏み台領域、ヘッドボード領域、及び横方向拡張部の中に配置される、柔軟な及び／又は調整可能なセクションが提供される、管状構造体に関連して提供される。ヘッドボードは、さらに以下に説明される。
【００１６】
この実施形態における管状構造体の管セクションは、補助マットレスの個別の領域と一致する、対応するヒンジされた領域を備え得る。個別の領域は、それらが、ヒンジされたときに互いに重なることができるように、配置され得る。
【００１７】
本マットレスアセンブリの変形例にしたがって、かつより大きなものと交換する必要なしに、かつベッドのフレーム又は布張りしたベッドベースを交換する必要なしに、マットレスの表面を拡大するという上述の目的を伴って、本マットレスアセンブリの横方向拡張部は、２つの硬い布張りしたベッドベースを備え得る。２つの硬い布張りしたベッドベースは、互いに向き合い、マットレスの幅寸法と等しい分離距離を保つ。このことは、Ｌ形状の調整管を結合することを企図する少なくとも２つの構造上の管によって実行され、２つは、各々の側部に位置決めされ、かつ対向する位置に位置決めされ、硬い布張りしたベッドベースの端部に位置決めされるその自由端においてヒンジが提供される。
【００１８】
この場合において、踏み台拡張部は、横方向拡張部の硬くて布張りしたベッドベースより短い、硬い、布張りしたベッドベースを備える。ベッドベースは、その内側表面に少なくとも２つのヒンジを有し、各々の端部において１つずつ配置され、その対応するＬ形状の調整管に結合される。ヒンジは、その１つの自由端において、横方向拡張部の構造的な管と結合するためにクランプが提供される。
【００１９】
横方向拡張部及び踏み台拡張部の硬い布張りしたベッドベースは、それらの上端に、その全体の長さに沿った補強パディングが提供される。このことは、ユーザがベッドの側部に座った場合の不快感を避ける。
【００２０】
横方向拡張部及び踏み台拡張部の硬い布張りしたベッドベースは、ねじが切られた挿入部材を介して、高さを調節することができる。このねじが切られた挿入部材は、対応するヒンジを調整管に接続し、それらがマットレスと位置合わせされることを可能にする。
【００２１】
本マットレスアセンブリの１つの代替的な実施形態において、横方向拡張部は、その裏の端部において少なくとも２つのヒンジが提供される２つの硬い布張りしたベッドベースを備え、各々の端部において１つずつを位置決めし、その中央部分において結合しているヒンジ結合部が提供される。
【００２２】
さらなる代替的な実施形態において、踏み台拡張部は、横方向拡張部の硬い布張りしたベッドベースより短い、硬い布張りしたベッドベースを備える。そのような布張りしたベッドベースは、その内側表面に少なくとも２つのヒンジが提供され、各々の端部において１つずつ位置決めし、かつそれはさらに、その中央部分において結合しているヒンジ結合部が提供される。
【００２３】
結合しているヒンジ結合部は、ソファーなどの別の表面に垂直に取り付けられることを企図し、対応するアセンブリから硬い布張りしたベッドベースを上げる及び／又は下げることを可能にする。結合しているヒンジ結合部は、上げる又は下げるために、手動又は遠隔制御される電子モーターによって作動され得る。
【００２４】
本マットレスアセンブリはさらに、ボックスシーツが提供される。このボックスシーツは、その全体の周囲に沿って弾性要素を含み得る。これは、ボックスシーツがマットレスアセンブリに適合されることを容易にする。この場合において、ボックスシートは、横方向拡張部が提供される本体を有する。ボックスシーツの端部は、９０度の角度を形成する切欠き部によって構成される。ボックスシーツは、本体と横方向拡張部との間の接続において、複数の繊維セクションを有する。そのような繊維セクションは、横方向拡張部及び踏み台拡張部の接続の間において、補助マットレスの中に形成されるスロットを通過することができ、それによって、繊維セクションの自由端は、留め手段を介して補助マットレスの側部にクランプ締めするため、ボックスシーツの端部とフィットする。
【００２５】
ボックスシーツは、ユーザが補助マットレスの横方向拡張部を延伸させる場合であっても、マットレスアセンブリに完全にフィットすることが可能であり、ボックスシーツが横方向拡張部から出て来てしまうことを妨げる。
【００２６】
上述のように、本マットレスアセンブリは、ヘッドボード拡張部が提供される。ヘッドボード拡張部は、補助マットレスに対して９０度までの、種々の位置を通して管状構造体と一緒に回転することができる。それ故、ヘッドボード拡張部は、種々の角度において位置決めされることができ、ユーザにリラックス又はただ読書のために、より快適な位置を与える。
【００２７】
いくつかの実施形態において、ヘッドボード拡張部は、種々の固定された位置における仰角を通して可動な個別のヒンジされた領域を備え得る。それ故、本マットレスアセンブリの上の種々のユーザは、彼らの頭を種々の角度に横たえることができる。
【００２８】
補助マットレスの管状構造体は、ヘッドボード拡張部と横方向拡張部との間の接続角部において、２つのヒンジが提供される。ヒンジは、補助マットレスに対して最大９０度までの、種々の固定された位置において、ヘッドボードを上げるための回転の角度を可能にする。それ故、防御壁は、子供、身体障害者、及び依存的な大人が、地上に落ちることを妨げるために形成することができる。
【００２９】
本マットレスアセンブリは、現在、購入可能なマットレスと比較して複数の利点を提供する。
【００３０】
１つの重要な利点は、マットレスアセンブリの表面が、完全に本体と面一になるように、マットレスアセンブリの表面が、その周囲に沿って提供される管状構造体によって効率的に延伸することができることである。このことは、マットレス、及びその対応するベッドのフレーム、ソファー、又は布張りしたベッドベースの交換を避ける。
【００３１】
それに加えて、さらなる利点は、マットレスアセンブリの表面が、マットレスアセンブリに対して効率的に垂直に延伸できることである。これは、防御壁が、ユーザが地上に落ちることを妨げるように、効率的に形成されることをもたらす。補助マットレスの中にヒンジされたヘッドボードを提供することは、その４つの側部における改良された防御壁をもたらし、ユーザが地上に落ちることを妨げる。
【００３２】
補助マットレスが、上述されたように、クランプ若しくはガース、及び繊維の手段の助けを借りて、任意のタイプのマットレスに取り付けられ得ることに留意することは重要である。
【００３３】
本マットレスアセンブリの付加的な目的、利点、及び特徴は、当業者が説明を読むことによって明らかになり、又はその実際の使用によって理解されることができる。
【００３４】
本マットレスアセンブリの特定の実施形態が、添付の図面を参照しながら、非限定的な実施例として以下に説明される。
【図面の簡単な説明】
【００３５】
【図１】図１は、マットレスアセンブリの補助マットレスの１つの実施形態を、その裏から示している平面図である。
【図２】図２は、管状構造体のための高速開閉手段の構造的な詳細を示している。
【図３】図３は、管状構造体の平面図である。
【図４】図４は、安静位における主要マットレス上にフィットされた補助マットレスの正面図である。
【図５】図５は、９０度の回転を介する本体に完全に水平な平面において、補助マットレス表面を延伸する横方向延伸部及び踏み台延伸部とともに、主要マットレス上にフィットされた補助マットレスの正面図である。
【図６】図６は、９０度の回転を介する本体に完全に水平な平面において、補助マットレス表面を延伸する横方向延伸部及び踏み台延伸部とともに、主要マットレス上にフィットされた補助マットレスの平面図である。
【図７】図７は、ユーザが落ちることを妨げるための防御壁を形成する、１８０度の回転を介する本体に完全に垂直な平面において、補助マットレス表面を延伸する横方向延伸部及び踏み台延伸部とともに、主要マットレス上にフィットされた補助マットレスの正面図である。
【図８】図８は、ユーザが落ちることを妨げるための防御壁を形成する、１８０度の回転を介する本体に完全に垂直な平面において、補助マットレスを延伸する横方向延伸部及び踏み台延伸部を有する、主要マットレス上にフィットされた補助マットレスの平面図である。
【図９】図９は、マットレスアセンブリの１つの実施形態の正面図及び平面図を示している。
【図１０】図１０は、図９の中において示されるマットレスアセンブリの構造的な詳細を示している。
【図１１】図１１は、９０度の回転を介するマットレスに完全に水平な平面において、延伸表面を形成するように示される、右横方向延伸部の硬い布張りしたベッドベース、及び踏み台延伸部の硬い布張りしたベッドベースを有する、図９において示されるマットレスアセンブリの正面図である。
【図１２】図１２は、その表面を延伸する拡大された延伸部を有する、図９において示されるマットレスアセンブリの図を示している。
【図１３】図１３は、１８０度回転することによってマットレスに完全に垂直な平面上に安全表面を形成し、それによってユーザが落ちることを妨げる、右横方向延伸部の硬い布張りしたベッドベース、及び踏み台延伸部の硬い布張りしたベッドベースを示す、図９のマットレスアセンブリの正面図である。
【図１４】図１４は、１８０度回転して防御壁を形成する延伸部を有する、図９において示されるマットレスアセンブリの平面図を示している。
【図１５】図１５は、１つの代替的な実施形態における、横方向延伸部の硬い布張りしたベッドベースを示す、側面及び正面図を示している。
【図１６】図１６は、１つの代替的な実施形態における、横方向延伸部及び踏み台延伸部を示す、側面及び正面図を示している。
【図１７】図１７は、ソファー上における横方向延伸部及び踏み台延伸部の結合を示している。
【図１８】図１８は、ソファー上における横方向延伸部及び踏み台延伸部の結合、並びに上昇して、マットレスと面一となるようなヒンジの動作を示す。
【図１９】図１９は、横方向延伸部及び踏み台延伸部が、９０度の回転によってマットレスと面一に延伸されて、位置決めされる、ソファー上のマットレスの平面図である。
【図２０】図２０は、横方向延伸部及び踏み台延伸部が、１８０度の回転を介してマットレスと完全に垂直な平面においてそこに結合され、ユーザが落ちることを妨げる、ソファー上のマットレスの平面図である。
【図２１】図２１は、ボックスシーツの正面及び平面図を示している。
【図２２】図２２は、横方向及び踏み台延伸部が示されている、マットレスアセンブリ上に置かれるボックスシーツの平面図を示している。
【図２３】図２３は、シーツの側部が詳細に示されている、マットレスアセンブリ上のボックスシーツと、繊維セクションの取付け部との結合の詳細を示している。
【図２４】図２４は、その裏面からの補助マットレスの平面図を示している。
【図２５】図２５は、管状構造体の平面図を示している。
【図２６】図２６は、安静位における主要マットレス上にフィットされた補助マットレスの正面図を示している。
【図２７】図２７は、ヘッドボードの上昇を示している、主要マットレス上にフィットされた補助マットレスの正面図を示している。
【図２８】図２８は、横方向、踏み台、及びヘッドボード延伸部が、ユーザが落ちることを妨げる防御壁を形成している、主要マットレスにフィットされた補助マットレスの正面図を示している。
【図２９】図２９は、本マットレスアセンブリの補助マットレスの平面図を示している。
【図３０】図３０は、３つの個別の領域を有する横方向延伸部を示している、その裏面からの補助マットレスの平面図を示している。
【図３１】図３１は、管状構造体の平面図を示している。
【図３２】図３２は、横方向延伸部が、ユーザが落ちることを妨げるために防御壁を形成している３つの個別の領域によって形成される、ヒンジされたベースを有する主要マットレス上にフィットされた補助マットレスの正面図を示している。
【図３３】図３３は、横方向延伸部を形成する３つの個別の領域の線形な傾きを示している、補助マットレスの平面図を示している。
【発明を実施するための形態】
【００３６】
本マットレスアセンブリの複数の実施形態が概略的に示されている、図１から図３３までの図面に対する参照が行われる。
【００３７】
本マットレスアセンブリは、主要マットレス、補助マットレス１、及び管状構造体５を備える。
【００３８】
補助マットレス１は、２つの横方向延伸部２及び踏み台延伸部３を有する本体を備える。図２６から図３３までの実施形態との関連において説明されるように、ヘッドボード延伸部１７がさらに提供される。
【００３９】
補助マットレス１の本体は、延伸部２、３と一緒になって、完全に水平な平面において延伸する表面を形成することができる。このことは、延伸部２、３をそれらの垂直位置から９０度だけ回転させることによって達成される。それに加えて、延伸部２、３はまた、以下に説明されるように１８０度回転させることもできる。
【００４０】
管状構造体５は、本体の周囲に沿って提供される。高速開閉手段４は、それを組立てるために提供される。管状構造体５は、複数の管セクションを備える。特に、それは、横方向延伸部２の組立てのための２つの長いセクション６と、；３つの中央セクション７であって、１つはヘッドボードの組立て用で、２つは踏み台延伸部３の組立て用で、踏み台延伸部３を本体に取り付けることを企図した３つの中央セクション７と、；本体とともに、横方向延伸部２及び踏み台延伸部３の取り付け部を形成する角部の組立てのための８つの短いセクション８と、を備える。全ての管セクションは、図３において示されるように、８つのベンド９と、９０度及び１８０度回転可能な４つのヒンジ１０とによって互いに取り付けられている。ヒンジ１０は、本体と、横方向延伸部２及び踏み台延伸部３との間の接続角部において位置決めされる。
【００４１】
補助マットレス１の本体は、その裏の両側部において位置決めされるクランプ又はガース１１を含んでいる。クランプ又はガース１１は、補助マットレス１を主要マットレス上に結合することを企図している。
【００４２】
今度は、図面のうちの図９から図２０において示される実施形態を参照すると、補助マットレス１の横方向延伸部２は、硬い布張りした複数のベッドベース２ａを備える。前記硬い布張りしたベッドベース２ａは、互いに向き合い、主要マットレスの幅寸法と等しい分離距離を保つ。このことは、管状構造体５によって達成される。この実施形態において、管状構造体５は、Ｌ形状の調整管を結合させることを企図する繊維で裏打ちされた管セクションを備え、２つは、各々の側部に対向して位置決めされて、硬い布張りしたベッドベース２ａの端部において位置決めされた自由端においてヒンジが提供される。
【００４３】
次に、踏み台延伸部３が、硬い布張りしたベッドベース３ａを備える。踏み台延伸部３の硬い布張りしたベッドベース３ａは、横方向延伸部２の硬い布張りしたベッドベース２ａよりも短い。踏み台延伸部３は、その内側表面上に少なくとも２つのヒンジ１２を有し、各々の端部において１つずつ配置され、その対応するＬ形状の調整管５に結合され、その１つの自由端において、横方向延伸部２の構造上の管５と結合するためのクランプ１３が提供される。
【００４４】
横方向延伸部２の硬い布張りしたベッドベース２ａ、及び踏み台延伸部３の硬い布張りしたベッドベース３ａは、それらの上端にそれらの長さ全体にパッディング補強材１４が提供される。
【００４５】
横方向延伸部２の硬い布張りしたベッドベース２ａ、及び踏み台延伸部３の硬い布張りしたベッドベース３ａは、ねじが切られた挿入部材１５を介して高さを調節することができる。
【００４６】
布張りしたベッドベース２ａを有する横方向の延伸部２は、その中央部分において、結合しているヒンジ結合部１６が提供される。布張りしたベッドベース３ａを有する踏み台延伸部３はさらに、その中央部分において、対応する結合しているヒンジ結合部１６を含む。結合しているヒンジ結合部１６は、上げる又は下げるために、手動又は遠隔制御される電子モーターによって作動され得る。
【００４７】
図２１、図２２、及び図２３は、本マットレスアセンブリの中に含まれるボックスシート２０の１つの実施例を図示している。ボックスシーツ２０は、その全体の周囲に沿った弾性要素２１、及び横方向延伸部２３が提供される本体２２を含む。ボックスシーツ２０の弾性要素２１は、それが、補助マットレス１の横方向及び踏み台延伸部２、３から出て来ることを妨げる。
【００４８】
ボックスシーツ２０の端部は、９０度の角度を形成する切欠き部２４、及びいくつかの繊維セクション２５によって構成される。繊維セクション２５は、本体２２と横方向延伸部２３との間の接続において、それらの自由端における留め手段２６が提供される。繊維セクション２５は、繊維セクション２５の自由端が、留め手段２６を介してボックスシート２０にフィットするように、補助マットレス１の中に形成されるスロットを通り抜けることが可能である。このことは、ユーザが補助マットレス１の横方向延伸部２を延伸させる場合に、ボックスシート２０がマットレスアセンブリの横方向延伸部２から出て来ることを妨げるための、完璧な配置を確実にする。
【００４９】
ここで、図面のうちの図２４から図２９までに対する参照を行う。上述されたように、マットレスアセンブリのこの実施形態において、ヘッドボード延伸部１７が提供される。
【００５０】
図２４から図２９までにおいて示されるこの実施形態において、管状構造体５は、ヘッドボード延伸部１７と横方向延伸部２との間の接続角部において、２つのヒンジ１８を有する。このことは、マットレス１に関して最大９０度までの種々の固定された位置において、ヒンジされたヘッドボード１７を持ち上げるための回転の角度を可能にする。このことはまた、防御壁が、子供、身体障害者、及び依存的な大人が地上へ落ちることを妨げるように形成されることを可能にする。
【００５１】
ここで、図面のうちの図３０から図３３までに対する参照を行う。この実施形態において、横方向延伸部２は、いくつかの個別の領域２ｂを有するように構成される。横方向延伸部２の個別の領域２ｂは、それらが、マットレス１に関して最大９０度までの種々の固定された位置における仰角を通して回転することができるので、可動な対応するヒンジされたベースに対して適合可能である。横方向延伸部２の個別の領域２ｂは、管状構造体５の柔軟な及び／又は調整可能な管セクション５ａと一緒に、回転することができる。
【００５２】
横方向延伸部２に対応する管状構造体５のフレーム５ｂは、上述した個別の領域２ｂと一致する、いくつかの個別のヒンジされた領域５ｃによって両側部に形成される。複数のヒンジ５ｄは、補助マットレスの厚さと等しい線形な傾きに隣接するヒンジ５ｄに取り付けられる。これにより、種々の部分が、ヒンジされているので互いに重なることを妨げ、ヒンジされたベースに対する完全な適合性を可能にする。
【００５３】
管状構造体５、踏み台延伸部３、ヘッドボード延伸部１７、及び横方向延伸部２における周囲に提供される、柔軟な及び／又は調整可能なセクション５ａは、補助マットレス１に対する管状構造体５の完璧な適合性を可能にする。
【００５４】
管状構造体５の柔軟な及び／又は調整可能な管セクション５ａは、管状構造体５が折り畳まれることを容易にする、弾性材料又は任意の他の等価な手段を用いて構成される。
【００５５】
本マットレスアセンブリの複数の特定の実施形態及び実施例のみが、本明細書の中において開示されてきたが、他の代替的な実施形態及び／又は使用並びにそれらの明らかな変形例及び等価物が可能であることは、当業者によって理解されるだろう。
【００５６】
例えば、本マットレスアセンブリの横方向延伸部、及び／又は踏み台延伸部、及び／又はヘッドボード延伸部、及び／又は管状構造体を駆動させるための、自動駆動システムが提供され得る。この駆動システムは、延伸部、及び／又は管状構造体を駆動させるためのモーター手段を含み得、それはユーザによって遠隔から作動されることが可能である。遠隔制御は、例えば、適切なユーザインターフェースを有する制御ユニットを介して、又は適切なモバイルアプリケーションを介して、実行することができる。
【００５７】
横方向延伸部２のベッドベース２ａ、２ｂ、及び踏み台延伸部のベッドベース３ａは、その裏の端部において少なくとも２つのヒンジが提供され、各々の端部において１つずつが位置決めされ、中央部分以外の種々の位置において結合しているヒンジ結合部１６が提供される。手動又は遠隔制御された電子モーターによる以外の、結合しているヒンジ結合部１６を上下させるための代替的な手段は、除外されない。
【００５８】
さらに、管状構造体は、円筒、卵型、多角形などの、任意の断面形状の硬い管セクションから作られ得る。
【００５９】
加えて、補助マットレス１が単一の横方向延伸部を有する実施形態は、除外されない。さらに、互いに異なる特性及び／又は機能性を有する種々の横方向延伸部が提供される、実施形態が存在し得る。例えば、補助マットレスの横方向延伸部のうちの少なくとも１つは、剛性（rigid）であり得る。横方向延伸部の種々の機能性は、アイテムを保持するための領域、及び／又はアイテムを格納するための領域などを含む。
【００６０】
一方、ボックスシーツ２０は、アセンブリの側部がボックスシーツ２０によって適切に覆われることができるように、弾性要素が内側に提供され得る上方及び下方の側部チャネルが提供されてもよい。
【００６１】
いくつかの実施形態において、図１の中において示される管状構造体５の内側中央セクション７ａは、存在しない可能性もある。
【００６２】
最後に、付加的な補強構造体が、マットレスアセンブリを補強するために提供され得る。この付加的な補強構造体は、適切な位置にある管状構造体の角部を保持するために適合され得る。
【００６３】
それ故、本開示は、説明された本マットレスアセンブリの特定の実施形態の、全ての可能な組み合わせに及ぶ。
【００６４】
図面に関連して、特許請求の範囲の中の括弧内に配置される参照符号は、特許請求の範囲の中の理解度を高めることのみを目的としており、その範囲を限定するものとして解釈されてはならない。それ故、本開示の範囲は、特定の実施形態によって限定されるべきではなく、以下の特許請求の範囲を公平に読むことによってのみ決定されるべきである。
【図１−２】
0006290228.tif 000002
【図３】
0006290228.tif 000003
【図４】
0006290228.tif 000004
【図５】
0006290228.tif 000005
【図６】
0006290228.tif 000006
【図７】
0006290228.tif 000007
【図８】
0006290228.tif 000008
【図９】
0006290228.tif 000009
【図１０】
0006290228.tif 000010
【図１１】
0006290228.tif 000011
【図１２】
0006290228.tif 000012
【図１３】
0006290228.tif 000013
【図１４】
0006290228.tif 000014
【図１５】
0006290228.tif 000015
【図１６】
0006290228.tif 000016
【図１７】
0006290228.tif 000017
【図１８】
0006290228.tif 000018
【図１９】
0006290228.tif 000019
【図２０】
0006290228.tif 000020
【図２１】
0006290228.tif 000021
【図２２】
0006290228.tif 000022
【図２３】
0006290228.tif 000023
【図２４】
0006290228.tif 000024
【図２５】
0006290228.tif 000025
【図２６】
0006290228.tif 000026
【図２７】
0006290228.tif 000027
【図２８】
0006290228.tif 000028
【図２９】
0006290228.tif 000029
【図３０】
0006290228.tif 000030
【図３１】
0006290228.tif 000031
【図３２】
0006290228.tif 000032
【図３３】
0006290228.tif 000033